(57)【要約】【課題】従来使用していたフットコントローラを不要にして、歯科用治療椅子まわりの作業環境を簡潔にし、歯科治療をより安全にかつ効果的に行うことができるようにする。【解決手段】歯科用治療椅子１の基台１０上に配設され、足操作によって押下されるカバー板部材１１を有し、該カバー板部材１１を押下することによって歯科治療インスツルメント８の駆動を制御する。前記基台１０とカバー板部材１１との間に、所定圧の気体が密封された可撓性の気体圧入容器２１と、該容器２１内の空気圧を検出する圧力センサ２２とを有し、該カバー板部材１１を押下した時に、その押下量に対応して変化する容器２１内の圧力を圧力センサ２２にて検知し、その検知出力をリード線２３を通して図示しない制御部に伝達し、歯科用インスツルメント８の駆動パワーを変える。【選択図】図１
2008142444.tif 000002
【特許請求の範囲】
【請求項１】
歯科用治療椅子の基台上に配設され、足操作によって押下されるカバー板部材を有し、該カバー板部材を押下することによって歯科治療インスツルメントを駆動するようにした歯科用治療椅子において、前記基台とカバー板部材との間に、所定圧の気体が密封された可撓性の気体封入容器と、該容器内の気体圧を検出する圧力センサとを有し、前記カバー板部材を押下した時に、該押下量に対応して変化する前記容器内の気体圧力を前記圧力センサにて検知し、その検知出力により前記歯科用インスツルメントの駆動パワーを変えるようにしたことを特徴とする歯科用治療椅子。
【請求項２】
歯科用治療椅子の基台上に配設され、足操作によって押下されるカバー板部材を有し、該カバー板部材を押下することによって歯科治療インスツルメントを駆動するようにした歯科用治療椅子において、前記カバー板部材の上に足操作によって回動自在の回動部材を有し、更に、前記カバー板部材の下部に前記回動部材の回動量を検知する回動量検出手段を有し、該回動量検出手段の検出出力により前記歯科用インスツルメントの駆動パワーを変えるようにしたことを特徴とする歯科用治療椅子。
【発明の詳細な説明】
【技術分野】
【０００１】
本発明は、歯科用治療椅子、より詳細には、歯科用治療椅子の基台をカバーしかつ足操作によって押下可能なカバー板部材によって、歯科治療用インスツルメントのオン・オフ制御に加え、該インスツルメントに供給する駆動パワー（例えば、エアータービン，マイクロエンジン等の回転数等）をも変えられるようにして、該カバー板部材の機能を増すようにするとともに、歯科治療椅子のまわりを簡潔にして、歯科治療をより安全かつ効果的に行うことができるようにしたものである。
【背景技術】
【０００２】
図３は、従来の歯科治療ユニットの一例を説明するための概略構成図で、該歯科治療ユニットは、治療椅子１，ワークテーブル２，うがい装置３，給排水ボックス４，インスツルメントホルダ５，フットコントローラ６，アシスタントインスツルメントホルダ７等から成り、インスツルメントホルダ５には、歯科治療において使用する種々のインスツルメント８が収納されており、周知のように、歯科治療に当り、患者は治療椅子１に座り、頭を安頭台に固定して治療を受ける。治療中、術者は治療椅子１を上下動，倒起動，傾斜動等させて、患者を治療しやすい姿勢にし、インスツルメントホルダ５より歯科治療に必要なインスツルメント８を取り出し、フットコントローラ６にて取り出したインスツルメントの駆動（例えば、オン・オフ及び回転数等）を制御しながら歯科治療を行う。
【０００３】
歯科治療は、普通、治療椅子１を倒（寝）状態にし、術者は、患者の背面側に座って行う。そのため、従来、治療椅子の基台１０に足操作によって押下可能なカバー板部材を設け、該カバー板部材を押下することによって、使用中のインスツルメントの駆動・停止（オン・オフ）を制御するようにし、歯科治療をより効果的に行うことができるようにした歯科用治療椅子も提案されている。
【発明の開示】
【発明が解決しようとする課題】
【０００４】
しかし、上記従来の歯科用治療椅子におけるカバー板部材による操作は、歯科治療用インスツルメントのオン・オフ動作を制御するのみで、該インスツルメントの回転速度等の駆動パワーを制御することはできず、従来のフットコントローラ（図３のフットコントローラ６）を必要としていた。
【０００５】
本発明は、上述のごとき実情に鑑みてなされたもので、歯科用治療椅子の基台上に設けたカバー板部材によって、歯科治療用インスツルメントのオン・オフ及び駆動パワー（例えば、回転数）を制御できるようにし、歯科治療作業をより効果的に行うことができるようにするとともに、従来使用していたフットコントローラ（図３に示したフットコントローラ６）を不要にして、歯科用治療椅子まわりの作業環境を簡潔にし、歯科治療をより安全にかつ効果的に行うことができるようにすることを課題としてなされたものである。
【課題を解決するための手段】
【０００６】
本発明は、上記課題を解決するためになされたもので、
第１の発明は、歯科用治療椅子の基台上に配設され、足操作によって押下されるカバー板部材を有し、該カバー板部材を押下することによって歯科治療インスツルメントを駆動するようにした歯科用治療椅子において、前記基台とカバー板部材との間に、所定圧の気体が密封された可撓性の気体封入容器と、該容器内の気体圧を検出する圧力センサとを有し、前記カバー板部材を押下した時に、該押下量に対応して変化する前記容器内の気体圧力を前記圧力センサにて検知し、その検知出力により前記歯科用インスツルメントの駆動パワーを変えるようにしたことを特徴としたものである。
【０００７】
第２の発明は、歯科用治療椅子の基台上に配設され、足操作によって押下されるカバー板部材を有し、該カバー板部材を押下することによって歯科治療インスツルメントを駆動するようにした歯科用治療椅子において、前記カバー板部材の上に足操作によって回動自在の回動部材を有し、更に、前記カバー板部材の下部に前記回動部材の回動量を検知する回動量検出手段を有し、該回動量検出手段の検出出力により前記歯科用インスツルメントの駆動パワーを変えるようにしたことを特徴としたものである。
【発明の効果】
【０００８】
従来使用していたフットコントローラ（図３に示したフットコントローラ６）を不要にして、歯科用治療椅子まわりの作業環境を簡潔にしたので、歯科治療をより安全にかつ効果的に行うことができるようになった。
【発明を実施するための最良の形態】
【０００９】
図１は、本発明による歯科用治療椅子の一実施例を説明するための図で、図１（Ａ）は、本発明による歯科用治療椅子にて歯科治療を行っている時の様子を示す全体概略構成図、図１（Ｂ）は、本発明によるカバー板部材を用いた歯科用インスツルメントの制御機構を説明するための要部断面構成図である。
【００１０】
図１（Ａ）に示すように、歯科治療に当り、術者Ｄは、患者Ｐの背面側に座り、歯科治療に必要なインスツルメント８をインスツルメントホルダ５より取り出して歯科治療を行うが、本発明においては、当該使用中のインスツルメント８のオン・オフ及び回転数制御を、治療椅子１の基台１０に設けられたカバー板部材１１を足操作によって押下することによって行う。従来は、このカバー板部材１１の押下によって、インスツルメント８のオン・オフを制御するようにしており、インスツルメント８の回転数制御まではできなかった。
【００１１】
本発明は、図１（Ｂ）に示すように、カバー板部材１１の下部に気体が密封された可撓性の気密容器２１を配設しておき、この気密容器２１をカバー板部材１１によって押下することによって、該気密容器２１内の圧力を変化させ、その圧力変化を感圧センサ２２にて検知し、その検知電気信号をリード線２３を通して、例えば、ワークテーブル，インスツルメントホルダ等に設けられる制御部に伝達し、該制御部により、使用中のインスツルメントに対する制御を行う。換言すれば、カバー板部材１１を押下することにより気密容器２１内の気体圧を変化させ、その気体圧に応じて、当該使用中のインスツルメントに対するオン・オフ制御及び回転数制御を行う。
【００１２】
図１に示した実施例によると、可撓性の気密容器２１内に気体を圧縮密封し、その上にカバー板部材１１を配置するようにしたので、カバー板部材１１は、該気密容器２１内の気圧によって、常時、上方に押し上げられており、そのため、該カバー板部材１１を上方に押し上げるための機構を別に設ける必要がなく、機構が簡単で、安価に制作することができる。
【００１３】
図２は、本発明によるインスツルメント制御機構（足操作機構）の他の例を説明するための図で、この例は、カバー板部材１１の押下によって使用インスツルメントのオン・オフを制御するようにするとともに、このカバー板部材１１の上部に回動自在に設けられた回動部材（回動カバー部材）３１の回動によって使用インスツルメントの駆動パワー（例えば、回転数等）を制御するようにしたものである。
【００１４】
図２（Ａ）は、足操作機構部の断面構成図、図２（Ｂ）は外観図で、図中、３１は回動カバー部材、３２は該回動カバー部材３１を一体的に回動自在に支持する回動支持軸、３３は該回動支持軸３２の回動によって回動される歯車、３４は該歯車３３の回転角を検知するエンコーダ、３５は該エンコーダ３４の検出出力をワークテーブル，インスツルメントホルダ等に設けられている制御部に伝達するためのリード線で、図１に示した実施例と同様、このリード線３５の図示しない端部に設けられている制御部を制御して使用インスツルメントの駆動パワー（回転数等）を制御するようにしている。すなわち、この実施例においては、回動カバー部材３１の上からカバー板部材１１を押下して使用インスツルメントのオン・オフを制御し、回動カバー部材３１を足操作にて回動し、その回動角をエンコーダ３４にて読み取り、このエンコーダ３４の出力により当該使用インスツルメントの駆動パワー（回転数等）を制御するようにしている。
【００１５】
図２に示した実施例においては、図示はしないが、当然に、カバー板部材１１の足操作部側を常時上方に押し上げている弾性部材（スプリング等）を使用し、更には、回動カバー部材３１を所定位置（例えば、回転数が最も低い位置）に偏位しておくための弾性部材（スプリング等）を使用するものであり、機構的には多少複雑になるが、図１に示した実施例と同様、治療椅子まわりにフットコントローラ（図３に示したフットコントローラ６）を不要とし、治療椅子まわりを簡潔にし、歯科治療作業を安全に、かつ、効果的に行うことができる。
【図面の簡単な説明】
【００１６】
【図１】本発明による歯科用治療椅子の一実施例を説明するための図である。
【図２】本発明による歯科用治療椅子における足操作機構の他の例を説明するための図である。
【図３】従来の歯科治療ユニットの一例を説明するための概略構成図である。
【符号の説明】
【００１７】
１…治療椅子、２…ワークテーブル、５…インスツルメントホルダ、６…フットコントローラ、８…インスツルメント、１０…基台、１１…カバー板部材、２１…気密容器、２２…感圧センサ、２３，３５…リード線、３１…回動部材、３２…回動支持軸、３３…歯車、３４…エンコーダ。
【図１】
2008142444.tif 000003
【図２】
2008142444.tif 000004
【図３】
2008142444.tif 000005